(57)【特許請求の範囲】
【請求項１】
側壁（１１０）の容器内側の積層材料の貼合わせ端部（１１２）の断面と、底板（１２０）の積層材料の端部の断面とが、内容物に接しないように、最外層と最内層に熱融着性樹脂層を形成する紙層を主体とする積層材料を用いて作製されたカップ状紙容器（１００）の口部に、上方にフランジ（１１）を有する口部補強リング枠（１０）を嵌入して、側壁（１１０）の上部内側と口部周縁巻込み部（１１１）の上面とに接着させて固着し、この口部補強リング枠（１０）のフランジ（１１）の上面に開封用つまみ（２１）をもつ封封シート（２０）を熱融着して、カップ状紙容器（１００）の開口部（１３０）を密封し、さらに、天板（３２）に振出し口（３４）と、この振出し口（３４）を開閉するヒンジ（３８）を介して天板（３２）に接続する子蓋（３３）と、天板（３２）の下面に口部補強リング枠（１０）に嵌合するインナーリング（３５）と、側壁（３１）下方内側にカップ状紙容器の口部と嵌合する嵌合突起（３７）とを備えたプラスチック蓋（３０）を冠着したことを特徴とするカップ状振出し紙容器。
【請求項２】
請求項１に記載のプラスチック蓋（３０）の天板（３２）の上面に、カップ状振出し紙容器の底部を固定する積重ね用固定突起（３６）を設けたことを特徴とするカップ状振出し紙容器。
【発明の詳細な説明】
【０００１】
【産業上の利用分野】
本発明は、粉体、顆粒、小片やそれらの混合物などの湿度を嫌う内容物、例えばふりかけ、調味料、洗剤、栄養剤などに使用するカップ状振出し紙容器に関するものである。
【０００２】
【従来の技術】
従来、湿度を嫌う内容物の振出し容器としては、カップ状のガラス容器を用いたカップ状振出しガラス容器が一般に使用されていた。このカップ状振出しガラス容器（２）は、例えば、図２に示すように、カップ状ガラス容器（２００）の側壁（２１０）上端の口部周縁突起（２１１）に、振出し口（４２）と開封用凹部（４３）とをもつ金属蓋（４０）の周縁を巻き締め（４１）して固設し、この金属蓋（４０）の上面の振出し口（４２）の全体と開封用凹部（４３）の部分にわたって、下面に感熱接着剤が塗布されいる封止シート（５０）を被せ、振出し口（４２）の周辺を熱接着し、振出し口（４２）を封止してカップ状ガラス容器（２００）を密封し、一方、開封用凹部（４３）上は未接着にして開封用つまみ（５１）を設け、さらに、天板（６２）に金属蓋（４０）の振出し口（４２）と圧接する封止突起（６３）と、側壁（６１）下方内側にカップ状ガラス容器（２００）の口部と嵌合する嵌合突起（６４）とを備えたプラスチック蓋（６０）を冠着させたものであった。
【０００３】
【発明が解決しようとする課題】
しかしながら、カップ状振出しガラス容器は、防湿性は非常に良好であるが、重いため流通過程で輸送費用や保管費用が高く、また、破損し易いなどの問題があった。さらに、最近では、環境保全の立場から、使用後の廃棄処理時に、構成部品を分別収集しようとしても、カップ状ガラス容器の口部に金属蓋が強固に巻き締めされているため、一般の消費者にとってはカップ状ガラス容器と金属蓋とを分離することが難しい問題もあった。
【０００４】
本発明は、湿度を嫌う内容物の振出し容器として、従来のカップ状振出しガラス容器の上述した問題点を解決したものであり、防湿性がよく、軽く、破損しにくく、使用後の廃棄処理時に、構成部品の分別がし易く、また、積み重ね可能なカップ状振出し紙容器を提供するものである。
【０００５】
【課題を解決するための手段】
第１の発明は、図１及び図３に示すように、側壁（１１０）の容器内側の積層材料（３００）の貼合わせ端部（１１２）の断面と、底板（１２０）の積層材料（３００）の端部の断面とが内容物に接しないように、最外層と最内層に熱融着性樹脂層（３２０，３３０）を形成する紙層を主体とする積層材料（３００）を用いて作製されたカップ状紙容器（１００）の口部に、上方にフランジ（１１）を有する口部補強リング枠（１０）を嵌入して、側壁（１１０）の上部内側と口部周縁巻込み部（１１１）の上面とに接着させて固着し、この口部補強リング枠（１０）のフランジ（１１）の上面に開封用つまみ（２１）をもつ封止シート（２０）を熱融着して、カップ状紙容器（１００）の開口部（１３０）を密封し、さらに、天板（３２）に振出し口（３４）と、この振出し口（３４）を開閉するヒンジ（３８）を介して天板（３２）に接続する子蓋（３３）と、天板（３２）の下面に口部補強リング枠（１０）に嵌合するインナーリング（３５）と、側壁（３１）下方内側にカップ状紙容器の口部と嵌合する嵌合突起（３７）とを備えたプラスチック蓋（３０）を冠着したことを特徴とするカップ状振出し紙容器（１）である。
【０００６】
第２の発明は、第１の発明に記載のプラスチック蓋（３０）の天板（３２）の上面に、カップ状振出し紙容器の底部を固定する積重ね用固定突起（３６）を設けたことを特徴とするカップ状振出し紙容器（１）である。
【０００７】
上述のカップ状紙容器を構成する積層材料は、最外層と最内層に、ポリエチレン、ポリプロピレン、ポリエチレンテレフタレートなどの熱融着性樹脂層を形成し、中間層に、紙層を主体としてプラスチック層、金属箔層、金属蒸着薄膜層などを積層した積層基材層を形成したものである。なお、積層材料の構成は、使用目的に合わせて選択するものである。
【０００８】
また、口部補強リング枠の材質は、ポリエチレン、ポリプロピレン、ポリエチレンテレフタレートなどが用いられるが、カップ状紙容器の口部への固着は、熱融着又は接着剤を用いて接着する。
【０００９】
また、封止シートは、防湿性の積層シートで、下面に熱融着樹脂層が設けられたものである。また、口部補強リング枠への熱融着は、容器使用時に、封止シートを口部補強リング枠から剥離可能に設けるものである。
【００１０】
そして、プラスチック蓋は、子蓋をヒンジを介して接続するため、材質としてはポリプロピレンの使用が好ましい。なお、図１に示すように、振出し口（３４）を開閉する子蓋（３３）には、封止シートを剥離後の容器の密封性を向上させるため、下面に振出し口（３４）と嵌合するインナーリング（３９）を設けることが好ましい。
【００１１】
【作用】
本発明のカップ状振出し紙容器のカップ状紙容器は、紙層を主体としてプラスチック層、金属箔層、金属蒸着薄膜層などを積層した積層材料より作られているため、従来のカップ状振出しガラス容器に比較して、同一容量の場合には、容器重量を１／２〜１／３程度に軽量化でき、しかも外部の衝撃により破損しにくい。
【００１２】
また、本発明のカップ状振出し紙容器は、カップ状紙容器、口部補強リング枠、封止シート、そしてプラスチック蓋より構成されているが、それぞれの接続は、接着か嵌着であるため、金属蓋が強固に巻き締めされている従来のカップ状振出しガラス容器に比較して、使用後の廃棄処理時に、構成部品の分離が容易であり、分別収集がし易い。さらに、カップ状紙容器は、軽くて押し潰せるため、廃棄物の嵩を少ない。
【００１３】
また、本発明のカップ状振出し紙容器のカップ状紙容器の周壁は、最外層と最内層とにプラスチック層を有し、中間層にプラスチック層、金属箔層などが積層された積層材料で作られているため、防湿性がよく、また、容器内の積層材料の端部の断面が、内容物に接触しないようにプラスチック層で覆われているため、内容物の保護性が良好となる。
【００１４】
そして、第２の本発明のカップ状振出し紙容器のプラスチック蓋の上面には、カップ状振出し紙容器の底部を固定する積重ね用突起が設けられているため、カップ状振出し紙容器の積み重ねが可能となる。
【００１５】
【実施例】
まず、ラミネート加工法によって、〔容器外側〕ポリエチレン層（２０μｍ）／印刷層／紙層（３００ g/m2 ）／接着剤層／アルミニウム箔層（９μｍ）／ポリエチレンテレフタレート層（１２μｍ）／接着剤層／ポリエチレン層（６０μｍ）〔容器外側〕構成の紙容器用積層材料を作製した。これとは別途に、〔上側〕ポリエチレンテレフタレート層（１２μｍ）／接着剤層／アルミニウム箔（９μｍ）／接着剤層／ポリエチレン（２０μｍ）／ポリエチレン系接着性樹脂（４０μｍ）〔下側〕構成の封止シート用積層材料を作製し、この封止シート用積層材料から、開封用つまみ（２１）をもつ図１に示す封封シート（２０）を打抜き加工した。次に、射出成形法によって、上方にフランジ（１１）を有する図１に示す口部補強リング枠（１０）を、低密度ポリエチレンを用いて作製した。また、これとは別途に、射出成形法によって、天板（３２）に振出し口（３４）と、この振出し口（３４）を開閉するヒンジ（３８）を介して天板（３２）に接続する子蓋（３３）と、カップ状振出し紙容器の底部を固定する積重ね用固定突起（３６）と、天板（３２）の下面に口部補強リング枠（１０）に嵌合するインナーリング（３５）と、側壁（３１）下方内側にカップ状紙容器の口部と嵌合する嵌合突起（３７）とを備えた図１に示すプラスチック蓋（３０）を、ポリプロピレンを用いて作製した。なお、振出し口（３４）を開閉する子蓋（３３）には、封止シートを剥離後の容器の密封性を完全にさせるため、下面に振出し口（３４）と嵌合するインナーリング（３９）を設けた。
【００１６】
次に、前述した紙容器用積層材料を用い、ＰＭＣ（Pachaginng Machinery Corp.）社製カップ成形機で、側壁（１１０）の容器内側の積層材料の貼合わせ端部（１１２）の断面と、底板（１２０）の積層材料の端部の断面とが、内容物に接しないように作製した図１に示す側壁（１１０）の上端外縁に口部周縁巻込み部（１１１）をもつカップ状紙容器（１００）を作製した。なお、側壁（１１０）の容器内側の積層材料の貼合わせ端部（１１２）は、図３に示すように、スカイブ・ヘミング加工によって、スカイブ面（１１４）を折り返して接着して、積層材料（３００）の最内層のポリエチレン層で覆った。次に、上述のカップ状紙容器（１００）に、内容物として‘ふりかけ，を充填しのち、カップ状紙容器（１００）の口部に、前述した口部補強リング枠（１０）を嵌入して、側壁（１１０）の上部内側と口部周縁巻込み部（１１１）の上面とに超音波シール法で熱融着して固着し、そして、この口部補強リング枠（１０）のフランジ（１１）の上面に前述した封止シート（２０）を熱融着して、カップ状紙容器（１００）の開口部（１３０）を密封し、さらに、子蓋（３３）で振出し口（３４）を閉じた状態の前述したプラスチック蓋（３０）を冠着して、本実施例のカップ状振出し紙容器（１）を作製した。なお、本実施例のカップ状振出し紙容器と比較するため、内容物として‘ふりかけ，を充填した同一容量の図２に示す従来のカップ状振出しガラス容器（２）を作製した。次に、これらの本実施例のカップ状振出し紙容器と比較例のカップ状振出しガラス容器とを、室内保管して内容物の吸湿状態を調べるため、風袋ともの重量変化を測定し、その結果を表１に示す。
【００１７】
【表１】
0003865795.tif 000002
【００１８】
１３５日間の保存テスト結果をみると、表１に示すように、重量変化量からみて、本実施例のカップ状振出し紙容器は、比較例の従来のカップ状振出しガラス容器と較べて遜色なかった。また、容器の変形や内容物の状態も、目視では異常が認められなかった。封止シートを剥離して、振り出し状態を観察したが、本実施例のカップ状振出し紙容器は、従来のカップ状振出しガラス容器と較べ軽くて扱い易かった。さらに、内容物を排出後に、各構成部品を分離してみたが、本実施例のカップ状振出し紙容器の熱融着する口部補強リング枠と紙容器との分離は、従来のカップ状振出しガラス容器の強固に巻き締めされた金属蓋とガラス容器との分離に較べると非常に容易であり、指を傷めるなどの危惧もなかった。また、分離された紙容器は、ガラス容器とは異なり、押し潰せるため、嵩を小さくすることができた。さらには、本実施例のカップ状振出し紙容器は、プラスチック蓋上に、積重ね用固定突起が設けられているため、カップ状振出し紙容器を安定性よく積み重ねることができた。なお、紙容器用積層材料としては、構成層としてアルミニウム箔を用いない〔容器外側〕低密度ポリエチレン層／印刷層／紙層／接着剤層／金属蒸着ポリエチレンテレフタレート層／接着剤層／低密度ポリエチレン層〔容器外側〕構成などの積層材料を用いてもよい。
【００１９】
【発明の効果】
本発明のカップ状振出し紙容器は、従来のカップ状振出しガラス容器と比較して、同一容量の場合には、重量を１／２〜１／３程度に軽量化でき、また壁厚が薄いため、流通過程での輸送費用や保管費用を削減でき、しかも、外部の衝撃により破損する危惧がない。そのうえ、使用後の廃棄処理時に、各構成部品の分別収集が容易であり、さらには、カップ状紙容器は、軽くて押し潰せるため、廃棄物の嵩が少ない。
【００２０】
また、本発明のカップ状振出し紙容器のカップ状紙容器は、防湿性がよいプラスチック層や金属箔層などを構成層とする積層材料によって周壁を形成しており、また、容器内の積層材料の端部の断面は、内容物に接触しないようにプラスチック層で覆われているため、防湿性や内容物保護性が良好である。
【００２１】
さらに、プラスチック蓋の上面に、積重ね用突起を設けた本発明のカップ状振出し紙容器は、安定よく積み重ねが可能である。
【図面の簡単な説明】
【図１】本発明のカップ状振出し紙容器の一実施例の断面図である。
【図２】従来の一例のカップ状振出しガラス容器の断面図である。
【図３】実施例１のカップ状振出し紙容器の側壁の積層材料を貼合わせ部分の構造を示す断面図である。
【符号の説明】
１……カップ状振出し紙容器
２……カップ状振出しガラス容器
１０……口部補強リング状枠
１１……フランジ
２０，５０……封止シート
２１，５１……開封用つまみ
３０，６０……プラスチック蓋
３１，６１，１１０，２１０……側壁
３２，６２……天板
３３……小蓋
３４，４２……振出し口
３５，３９……インナーリング
３６……積重ね用固定突起
３７，６４……嵌合突起
３８……ヒンジ
４０……金属蓋
４１……巻締め
４３……開封用凹部
６３……封止突起
１００……カップ状紙容器
１１１……口部周縁巻込み部
１１２……貼合わせ端部
１１３……側壁折返し部
１１４……スカイブ面
１２０……底板
１２１……底板折曲げ部
１３０，２３０……開口部
２００……カップ状ガラス容器
２１１……口部周縁突起
２２０……底部
３００……積層材料
３１０……紙層を主体とする積層基材
３２０，３３０……熱融着性樹脂又はポリエチレン層
【図１】
0003865795.tif 000003
【図２】
0003865795.tif 000004
【図３】
0003865795.tif 000005